(57)【要約】【課題】外周フレームとコアフレームとの間に中間フレームが設けられる場合でも、コア部の外周に配置された外周部の計画が制限されることがなく、外周部の設計の自由度を高めることができる建築物を提供する。【解決手段】コア部２と、コア部２の外周に配置された外周部３と、コア部２の外縁部に沿って設けられたコアフレーム４と、外周部３の外縁部に沿って設けられた外周フレーム５と、を有する建築物１において、コアフレーム４と外周フレーム５との間に中間フレーム６が設けられ、中間フレーム梁６２は、外周部３に設けられた第１外周部梁３１、第２外周部梁３２および第４〜第６外周部梁３４〜３６（外周部梁）よりも梁せいが小さく、中間フレーム６には、制振装置が設けられていない。【選択図】図２
0003220708.tif 000002
【実用新案登録請求の範囲】
【請求項１】
コア部と、
前記コア部の外周に配置された外周部と、
前記コア部の外縁部に沿って設けられたコアフレームと、
前記外周部の外縁部に沿って設けられた外周フレームと、を有する建築物において、
対向する前記コアフレームと前記外周フレームとの間に、前記コアフレームおよび前記外周フレームと平行に中間フレームが設けられ、
前記中間フレームの梁は、前記外周部に設けられた外周部梁よりも梁せいが小さく、
前記中間フレームには、制振装置が設けられていないことを特徴とする建築物。
【請求項２】
前記中間フレームの梁は、前記外周部梁よりも梁せいが２００ｍｍ以上小さいことを特徴とする請求項１に記載の建築物。
【請求項３】
前記外周部梁は、柱または他の梁に剛接合された大梁であり、前記中間フレームの梁は、柱にピン接合された小梁であることを特徴とする請求項１又は２に記載の建築物。
【考案の詳細な説明】
【技術分野】
【０００１】
本考案は、建築物に関する。
【背景技術】
【０００２】
従来、エレベータシャフト、階段室、設備配管スペース等のような複数の層を貫通するように配置されたコア部と、コア部の外周に位置する廊下、執務室、機械室等からなる外周部と、を備えた建築物が知られている（例えば、特許文献１参照）。このような建築物は、建築物の外周に位置する外周フレームと、コアの周囲に位置するコアフレームと、を有している。外周フレームやコアフレームは、柱および梁が設けられるとともに、ブレースやダンパー等が設けられ、建築物の耐震性能や制震性能を高めるように構成されている。外周フレームやコアフレームに設けられる梁は、大きな荷重が集中するように計画されているため、他の部分に設けられる梁と比べて梁せいが大きく設計されている。
【先行技術文献】
【特許文献】
【０００３】
【特許文献１】特開２０１３−４０４７９号公報
【考案の概要】
【考案が解決しようとする課題】
【０００４】
コア部の外周に位置する外周部が広く、外周フレームとコアフレームとの間隔が大きい建築物では、外周フレームの柱とコアフレームの柱とのスパンが過度に大きくならないように、外周フレームとコアフレームとの間にさらにフレーム（中間フレームとする）を設けるようにしている。中間フレームは、外周部の中に設けられるため、外周部の計画に影響することがある。
例えば、中間フレームに設備用の配管や配線を通す場合に、中間フレームの梁の梁せいが大きいことにより、梁にスリーブを設ける必要が生じることが考えられる。また、外周部に設けられる執務室などの出入口の位置が、中間フレームの柱やブレース、ダンパーなどと干渉しないように制限されることが考えられる。
【０００５】
そこで、本考案は、外周フレームとコアフレームとの間に中間フレームが設けられる場合でも、コア部の外周に配置された外周部の計画が制限されることがなく、外周部の設計の自由度を高めることができる建築物を提供することを目的とする。
【課題を解決するための手段】
【０００６】
上記目的を達成するため、本考案に係る建築物は、コア部と、前記コア部の外周に配置された外周部と、前記コア部の外縁部に沿って設けられたコアフレームと、前記外周部の外縁部に沿って設けられた外周フレームと、を有する建築物において、対向する前記コアフレームと前記外周フレームとの間に、前記コアフレームおよび前記外周フレームと平行に中間フレームが設けられ、前記中間フレームの梁は、前記外周部に設けられた外周部梁よりも梁せいが小さく、前記中間フレームには、制振装置が設けられていないことを特徴とする。
【０００７】
本考案では、中間フレームの梁は、外周部に設けられた外周部梁よりも梁せいが小さいことにより、中間フレームの梁下に設備の配管や配線を設置することができるため、中間フレームの梁にスリーブを設ける必要がなく、設備計画の自由度を高めることができる。
また、中間フレームには、制振装置が設けられていないことにより、外周部に設けられる執務室などの出入口の位置が制限されることがなく、設計の自由度を高めることができる。
【０００８】
また、本考案に係る建築物では、前記中間フレームの梁は、前記外周部梁よりも梁せいが２００ｍｍ以上小さくてもよい。
このような構成とすることにより、中間フレームの梁下に設備の配管や配線を設置しやすい。
【０００９】
また、本考案に係る建築物では、前記外周部梁は、柱または他の梁に剛接合された大梁であり、前記中間フレームの梁は、柱にピン接合された小梁であってもよい。
このような構成とすることにより、中間フレームの梁の梁せいを外周部梁の梁せいよりも小さくすることができ、中間フレームの梁下に設備の配管や配線を設置しやすい。
【考案の効果】
【００１０】
本考案によれば、外周フレームとコアフレームとの間に中間フレームが設けられる場合でも、コア部の外周に配置された外周部の計画が制限されることがなく、外周部の設計の自由度を高めることができる。
【図面の簡単な説明】
【００１１】
【図１】本考案の実施形態による建築物の一例を示す基準階の平面図でコアフレーム、外周コアフレーム、中間コアフレームを説明する図である。
【図２】第１〜第４外周部梁を説明する平面図である。
【考案を実施するための形態】
【００１２】
以下、本考案の実施形態による建築物１について、図１および図２に基づいて説明する。
図１に示すように、本実施形態による建築物１は、高層建築物で、平面視における中央部分にエレベータシャフト、階段室、設備配管スペース等が配置されて複数の層を貫通するコア部２が設けられ、コア部２の外周に廊下、執務室、機械室等が配置された外周部３が隣接して設けられている。
建築物１の平面視形状は、長方形となっている。建築物１の平面視形状の長方形の辺が延びる互いに直交する２つの水平方向を、Ｘ方向（図１の左右方向）およびＹ方向（図１の上下方向）とする。
建築物１の平面視形状は、Ｘ方向よりもＹ方向に長い長方形となっている。
【００１３】
コア部２は、平面視形状がＸ方向よりもＹ方向が長い長方形となっている。
コア部２の外縁部には、平面視形状が環状（ロ字形状）のコアフレーム４が設けられている。コアフレーム４の内側にコア部２のエレベータシャフト、階段室、設備配管スペース等が配置されている。
【００１４】
コアフレーム４は、コア部２の外縁部に沿って設けられた複数のコアフレーム柱４１と、コアフレーム柱４１間に架設された複数のコアフレーム梁４２と、を有している。
コアフレーム柱４１は、鉄骨柱やコンクリート充填鋼管柱などが採用されている。
コアフレーム梁４２は、コアフレーム柱４１と剛接合された大梁で、鉄骨梁などが採用されている。コアフレーム柱４１とコアフレーム梁４２とは、ラーメン構造を構築している。
コアフレーム４のうち、コア部２のＸ方向の両側それぞれに配置され、Ｙ方向に延びる部分を第１コアフレーム４３とし、コア部２のＹ方向の両側それぞれに配置され、Ｘ方向に延びる部分を第２コアフレーム４４とする。
コア部２は、コアフレーム４およびコアフレーム４の内側に摩擦ダンパーやオイルダンパーなどの制振装置７が設けられ、所定の強度を有するように構成されている。本実施形態では、コア部２に制振装置７を集約して配置している。なお、コア部フレーム４には、ブレースが設けられていてもよい。
【００１５】
外周部３は、コア部２を囲繞するように環状（ロ字形状）に設けられている。外周部３の外縁部（コア部２と隣接しない側の外縁部）は、建築物１の外縁部となっている。
外周部３の外縁部には、平面視形状が環状（ロ字形状）の外周フレーム５が設けられている。外周フレーム５の内側かつコアフレーム４の外側に廊下、執務室、機械室等が配置されている。
【００１６】
外周フレーム５は、外周部３の外縁部に沿って設けられた複数の外周フレーム柱５１と、外周フレーム柱５１間に架設された複数の外周フレーム梁５２と、が設けられている。
外周フレーム柱５１は、鉄骨柱やコンクリート充填鋼管柱などが採用されている。
外周フレーム梁５２は、外周フレーム柱５１と剛接合された大梁で、鉄骨梁などが採用されている。外周フレーム柱５１と外周フレーム梁５２とは、ラーメン構造を構築している。
外周フレーム５のうち、外周部３のＸ方向の両側それぞれに配置され、Ｙ方向に延びる部分を第１外周フレーム５３とし、外周部３のＹ方向の両側それぞれに配置され、Ｘ方向に延びる部分を第２外周フレーム５４とする。
外周フレーム５は、所定の強度を有するように構成されている。なお、外周フレーム５には、必要に応じて摩擦ダンパー、オイルダンパーなどの制振装置やブレースが設けられていてもよい。
【００１７】
コアフレーム４は、外周フレーム５の内側の中央に配置されている。外周部３を挟んで対向する第１コアフレーム４３と第１外周フレーム５３とのＸ方向の間隔Ｗ１は、外周部３を挟んで対向する第２コアフレーム４４と第２外周フレーム５４とのＹ方向の間隔Ｗ２よりも大きく設定されている。
外周部３には、外周部３を挟んで第１コアフレーム４３と第１外周フレーム５３との間にＹ方向に延びる中間フレーム６が設けられている。
中間フレーム６は、コア部２のＸ方向の一方側の第１コアフレーム４３と第１外周フレーム５３との間、コア部２のＸ方向の他方側の第１コアフレーム４３と第１外周フレーム５３との間それぞれに設けられている。中間フレーム６は、第１コアフレーム４３および第１外周フレーム５３と平行に設けられている。
【００１８】
中間フレーム６は、Ｙ方向の長さが第１コアフレーム４３のＹ方向の長さと同じで、第１コアフレーム４３とＹ方向の位置が同じ位置となるように配置されている。
第１外周フレーム５３と中間フレーム６とのＸ方向の間隔Ｗ３は、第２外周フレーム５４と第２コアフレーム４４とのＹ方向の間隔Ｗ２と同じ寸法に設定されている。
第１外周フレーム５３と中間フレーム６とのＸ方向の間隔Ｗ３は、第１コアフレーム４３と中間フレーム６とのＸ方向の間隔Ｗ４よりも大きく設定されている。
【００１９】
中間フレーム６は、Ｙ方向に配列された複数の中間フレーム柱６１と、Ｙ方向に延びて中間フレーム柱６１間に架設された複数の中間フレーム梁６２と、を有している。
中間フレーム柱６１は、鉄骨柱やコンクリート充填鋼管柱などが採用されている。
中間フレーム梁６２は、中間フレーム柱６１と剛接合された大梁、または中間フレーム柱６１とピン接合された小梁で、鉄骨梁などが採用されている。
複数の中間フレーム梁６２は、すべてが大梁または小梁であってもよいし、大梁と小梁とが混在していてもよい。例えば、同じ階において大梁と小梁とが例えば交互に配置されるなどして混在していてもよい。中間フレーム梁６２が大梁で構成されている階と中間フレーム梁６２が小梁で構成されている階とが例えば交互に配置されるなどして混在していてもよい。
【００２０】
図２に示すように、外周部３には、Ｘ方向に延び第１外周フレーム５３の外周フレーム柱５１と中間フレーム柱６１との間に架設された第１外周部梁３１と、Ｘ方向に延び第１外周フレーム５３の外周フレーム梁５２と中間フレーム柱６１との間に架設された第２外周部梁３２と、Ｘ方向に延び中間フレーム柱６１と第１コアフレーム４３のコアフレーム柱４１との間に架設された第３外周部梁３３と、Ｙ方向に延び第２外周フレーム５４の外周フレーム柱５１と第２コアフレーム４４のコアフレーム柱４１との間および第２外周フレーム５４の外周フレーム梁５２と第２コアフレーム４４のコアフレーム柱４１との間に架設された第４外周部梁３４と、Ｙ方向に延び第２外周フレーム５４の外周フレーム梁５２と中間フレーム柱６１との間に架設された第５外周部梁３５と、Ｙ方向に延び第２外周フレーム５４の外周フレーム柱５１と第１外周部梁３１との間に架設された第６外周部梁３６と、が設けられている。
【００２１】
第１〜第６外周部梁３１〜３６は、それぞれ架設される柱や梁と剛接合された大梁で、鉄骨梁などが採用されている。
第１外周部梁３１、第２外周部梁３２および第４〜第６外周部梁３４〜３６は、それぞれ長さ方向（延在方向の長さ）の長さ寸法および梁せいが同じ寸法に設定されている。
本実施形態では、第１外周部梁３１と第２外周部梁３２とは、Ｙ方向に交互に配置されている。
図示していないが、Ｙ方向またはＹ方向に隣り合う外周部梁の間には、小梁が適宜設けられている。
【００２２】
中間フレーム６には、コアフレーム４および外周フレーム５と異なり、摩擦ダンパーやオイルダンパーなどの制振装置や、ブレースなどが設けられていない。
中間フレーム梁６２は、第１外周部梁３１および第２外周部梁３２よりも梁せいが小さく設定されている。本実施形態では、中間フレーム梁６２は、第１外周部梁３１および第２外周部梁３２よりも梁せいが約３００ｍｍ小さく設定され、下端部が第１外周部梁３１および第２外周部梁３２の下端部よりも約３００ｍｍ上側に配置されている。
【００２３】
本実施形態では、外周部３のうち、第１コアフレーム４３と中間フレーム６との間には、廊下３７および機械室３８が設けられ、中間フレーム６と第１外周フレーム５３との間に執務室３９が設けられている。
第１コアフレーム４３と中間フレーム６との間の廊下３７および機械室３８は、廊下３７が第１コアフレーム４３側に配置され、機械室３８が中間フレーム６側に配置されている。
【００２４】
第２コアフレーム４４と第２外周フレーム５４との間にも通路、機械室３８および執務室３９が設けられていて、第２コアフレーム４４側から第２外周フレーム５４側に向かって、廊下３７、機械室３８、執務室３９の順に配置されている。
外周部３には、コア部２を囲むように、廊下３７が配置され、廊下３７を囲むように機械室３８が配置され、機械室３８を囲むように執務室３９が配置されている。なお、機械室３８は、複数に分割されていて、分割された機械室３８の間を通って執務室３９と廊下３７とを行き来できるように構成されている。
【００２５】
執務室３９の天井材は、第１外周部梁３１、第２外周部梁３２および第４〜第６外周部梁３４〜３６の下側に配置されている。このため、執務室３９の天井材が第１外周部梁３１、第２外周部梁３２および第４〜第６外周部梁３４〜３６の下側に隙間なく設けられた場合でも、天井材と中間フレーム梁６２の下端部との間には、約３００ｍｍの間隔が形成されている。
本実施形態では、執務室３９の天井高は、執務室３９全体で略一定に設定されている。
【００２６】
機械室３８には、執務室３９の電気や空調などの装置が設けられている。中間フレーム６に沿って配置された機械室３８から執務室３９に延びる配管や配線は、機械室３８から中間フレーム梁６２の下側を通って執務室３９の天井裏に延びている。本実施形態では、天井材と中間フレーム梁６２の下端部との間に約３００ｍｍの間隔が設けられているため、中間フレーム梁６２にスリーブを設ける必要がなく、この間隔に配線や配管を通すことができる。
【００２７】
次に、上述した本実施形態による建築物１の作用・効果について図面を用いて説明する。
上述した本実施形態による建築物１では、中間フレーム梁６２は、第１外周部梁３１および第２外周部梁３２よりも梁せいが小さいことにより、中間フレーム梁６２の下に設備の配管や配線を設置することができるため、中間フレーム梁６２にスリーブを設ける必要がなく、設備計画の自由度を高めることができる。
また、中間フレーム６には、摩擦ダンパーやオイルダンパーなどの制振装置や、ブレースなどが設けられていないことにより、外周部３に設けられる執務室３９などの出入口の位置が制限されることがなく、設計の自由度を高めることができる。
【００２８】
また、本考案に係る建築物１では、中間フレーム梁６２は、小梁であり、外周部３に設けられた大梁である第１外周部梁３１および第２外周部梁３２よりも梁せいが約３００ｍｍ小さく設定されていることにより、中間フレーム梁６２の下に設備の配管や配線を設置しやすい構造とすることができる。
【００２９】
以上、本考案による建築物１の実施形態について説明したが、本考案は上記の実施形態に限定されるものではなく、その趣旨を逸脱しない範囲で適宜変更可能である。
例えば、上記の実施形態では、中間フレーム梁６２は、外周部３に設けられた第１外周部梁３１、第２外周部梁３２および第４〜第６外周部梁３４〜３６よりも梁せいが約３００ｍｍ小さく設定されているが、外周部３に設けられた第１外周部梁３１、第２外周部梁３２および第４〜第６外周部梁３４〜３６よりも梁せいが小さく設定されていれば第１外周部梁３１、第２外周部梁３２および第４〜第６外周部梁３４〜３６との梁せいの差は適宜設定されてよい。なお、中間フレーム梁６２は、外周部３に設けられた第１外周部梁３１、第２外周部梁３２および第４〜第６外周部梁３４〜３６よりも梁せいが２００ｍｍ以上小さく設定されていると、中間フレーム梁６２の下に設備の配管や配線を設置しやすい構造とすることができる。
【００３０】
また、上記の実施形態では、第１外周部梁３１、第２外周部梁３２および第４〜第６外周部梁３４〜３６は、長さ方向の寸法および梁せいが同じであるが、異なっていてもよい。このような場合、中間フレーム梁６２の梁せいは、外周部３に設けられた第１外周部梁３１、第２外周部梁３２および第４〜第６外周部梁３４〜３６の梁せいのうちの一番大きな値よりも小さく設定されていればよい。
【００３１】
また、上記の実施形態では、中間フレーム６は、コア部２のＸ方向の一方側の第１コアフレーム４３と第１外周フレーム５３との間、およびコア部２のＸ方向の他方側の第１コアフレーム４３と第１外周フレーム５３との間それぞれに設けられているが、コア部２のＸ方向の一方側の第１コアフレーム４３と第１外周フレーム５３との間、およびコア部２のＸ方向の他方側の第１コアフレーム４３と第１外周フレーム５３との間のいずれか一方に設けられていてもよい。
また、中間フレーム６は、コア部２のＹ方向の一方側の第２コアフレーム４４と第２外周フレーム５４との間、およびコア部２のＹ方向の他方側の第２コアフレーム４４と第２外周フレーム５４との間のいずれか一方または両方に設けられてもよい。
また、中間フレーム６は、コア部２のＸ方向の一方側の第１コアフレーム４３と第１外周フレーム５３との間、コア部２のＸ方向の他方側の第１コアフレーム４３と第１外周フレーム５３との間のいずれか一方または両方と、コア部２のＹ方向の一方側の第２コアフレーム４４と第２外周フレーム５４との間、およびコア部２のＹ方向の他方側の第２コアフレーム４４と第２外周フレーム５４との間のいずれか一方または両方と、に設けられてもよい。
【００３２】
また上記の実施形態では、平面視の中央にコア部２が設けられた所謂中央コアの建築物１であるが、コア部２が中央以外の平面視のＸ方向およびＹ方向のいずれか一方または両方の片側に寄った位置に設けられた所謂片コアの建築物１であってもよい。また、コア部２が複数設けられた建築物１であってもよい。このような場合も、コア部２と外周部３との間に中間フレーム６を設けることで本考案の構成とすることができる。
【符号の説明】
【００３３】
１  建築物
２  コア部
３  外周部
４  コアフレーム
５  外周フレーム
６  中間フレーム
３１  第１外周部梁（外周部梁）
３２  第２外周部梁（外周部梁）
３３  第３外周部梁（外周部梁）
３４  第４外周部梁（外周部梁）
３５  第５外周部梁（外周部梁）
３６  第６外周部梁（外周部梁）
６２  中間フレーム梁（中間フレームの梁）
【図１】
0003220708.tif 000003
【図２】
0003220708.tif 000004